(57)【要約】【課題】きわめて高い横漏れ防止効果を得る失禁用の下着の提供。【解決手段】マチ部１３は、ベースシート１４とサブシート１５とを備えた二重構造である。ベースシート１４とサブシート１５は、吸水性に優れている。サブシート１５の中央部にスリット１９が設けられている。スリット１９は、サブシート１５の後端縁１８から前方に延びている。サブシート１５は、ベースシート１４の前方部分にのみ配置されている。サブシート１５には、水分の拡散を抑制する小孔が設けられていてもよい。マチ部１３の側縁部に撥水テープが設けられていてもよい。マチ部１３のは、メッシュシートにより被覆されていてもよい。【選択図】　図２
2004011073.tif 000002
【特許請求の範囲】
【請求項１】
吸水機能を有するマチ部を備えた失禁用の下着において、
上記マチ部は、
吸水性を有するベースシートと、ベースシートの内側に重ね合わされた吸水性を有するサブシートとを備える二層構造に形成されており、
上記サブシートの中央部に前後方向に延びるスリットが形成されていることを特徴とする下着。
【請求項２】
上記サブシートは、上記ベースシートの前端から後方に向かって当該ベースシートの略中央まで敷設されており、
上記スリットは、上記サブシートの後端から前方へ形成されている請求項１記載の下着。
【請求項３】
上記サブシートは、当該サブシートを貫通する複数の小孔が設けられている請求項１又は２記載の下着。
【請求項４】
上記マチ部の側縁部は、撥水帯により被覆されている請求項１ないし３のいずれかに記載の下着。
【請求項５】
上記マチ部の内側は、メッシュシートにより被覆されている請求項１ないし４のいずれかに記載の下着。
【発明の詳細な説明】
【０００１】
【発明の属する技術の分野】
この発明は、下着、特に失禁に悩む人用の下着に関するものである。
【０００２】
【従来の技術及び発明が解決しようとする課題】
近年、失禁に悩む人は増えている。失禁は、本人にとっては外出さえも躊躇するほどの深刻な症状である。しかし、失禁症状がある人でも、適切な下着を選択することにより、外出等を安心して行うことができる。そのため、従来から、失禁症状のある人用に種々の下着が提供されている。
【０００３】
失禁用の下着に要求される機能は、いわゆる「横漏れの防止」である。従来から提供されている下着は、すべてこの横漏れ防止をいかに効果的に行うかの観点から開発されたものである。そして、従来の下着では、かかる機能を向上させるために、下着を構成する生地に工夫がなされており、例えばキルティング加工された生地や、厚手の吸水性の高い生地等が開発されている。
【０００４】
しかしながら、生地を改良することによって生地の吸水性がいかに向上されたとしても、水分（尿等）は、生地を浸透し、横漏れを生じさせてしまう。
そこで、本発明は、きわめて高い横漏れ防止効果を得る失禁用の下着を提供することである。
【０００５】
【課題を解決するための手段】
（１）本願発明者は、下着の生地の改良では、失禁用の下着として要求される横漏れ防止機能を十分に実現することは困難であるという知見を得、そして、生地の改良ではなく、下着構造の改良により、効果的な横漏れ防止が実現されるのではないかと考えた。
すなわち、本願発明者は、上記横漏れの現象は、失禁症状が発生した場合に、水分が下着のマチ部に浸透し、マチ部の側縁部に到達した場合に起こるものであるところ、かかる水分がマチ部の側縁部にまで達するのを抑制する構造を実現することによって、上記目的を達成できると考えた。
【０００６】
（２）そこで、本願に係る下着は、吸水機能を有するマチ部を備えた失禁用の下着において、上記マチ部は、吸水性を有するベースシートと、ベースシートの内側に重ね合わされた吸水性を有するサブシートとを備える二層構造に形成されており、上記サブシートの中央部に前後方向に延びるスリットが形成されていることを特徴とするものである。
【０００７】
この構成によれば、失禁症状が発生した場合に、水分はマチ部に吸収される。マチ部は二重構造であり、吸水性を有するベースシート及びサブシートにより構成されているから、当該水分がマチ部の厚み方向に浸透し外部に漏れることはない。ところが、水分は、特にサブシートの面方向に浸透が進んでいく。このため、マチ部が二重構造とされるだけでは、水分の横漏れが発生する。
しかし、サブシートには、スリットが設けられている。このスリットは、水分を吸い寄せる。すなわち、スリットは、一種の水路の役割りを果たし、水分はこの水路に沿って移動する傾向にある。したがって、水分は、サブシートの面方向への浸透が規制される。
【０００８】
（３）また、上記サブシートは、上記ベースシートの前端から後方に向かって当該ベースシートの略中央まで敷設され、上記スリットは、上記サブシートの後端から前方へ形成されていてもよい。
【０００９】
この構成では、サブシートは、マチ部の前方側のみに配置されることになる。一般に人間が下着を装着した場合は、人間の尿道は、マチ部の前半部分に位置することになる。つまり、失禁症状が発生した場合には、水分はサブシートに付着することになる。したがって、サブシートがマチ部の前方側のみに配置されていても、前述のように、スリットが水分の上記面方向への浸透を規制する。しかも、サブシートがコンパクトとなり、下着のつけ心地が良くなると共に下着のコストも低減される。
【００１０】
（４）さらに、上記サブシートは、当該サブシートを貫通する複数の小孔が設けられていてもよい。
このように小孔が設けられることにより、水分の上記面方向への浸透がさらに規制される。すなわち、水分は、サブシート自体を媒体として面方向へ移動（浸透）するものであるところ、上記小孔が設けられることにより、上記媒体が間欠していることになるため、水分の浸透の速度はさらに低下する。
【００１１】
（５）加えて、上記マチ部の側縁部は、撥水帯により被覆されていてもよい。
かかる構成では、万一水分がサブシートの側縁、すなわちマチ部の側縁部に到達したとしても、撥水帯は、水分が外部へ漏れるのを防止する。これにより、水分の横漏れは効果的に抑制される。
また、上記マチ部の内側は、メッシュシートにより被覆されていてもよい。　この構成では、下着が装着されたときに、メッシュシートが肌と直接接触することになる。したがって、下着の装着者は、さらさらしたきわめて良いつけ心地を得ることができる。
【００１２】
【発明の実施の形態】
以下、適宜図面が参照されつつ、好ましい実施形態に基づいて本発明が詳細に説明される。
【００１３】
図１は、本発明の一実施形態に係る下着の斜視図である。
この下着１０は、特に失禁症状のある成人用のものであり、前身頃１１及び後身頃１２と、これらを連結するように配置されたマチ部１３とを有する。
本実施形態の特徴とするところは、マチ部１３の構造にある。つまり、本実施形態では、マチ部１３が二重構造となっており、失禁症状が起こった場合であっても、水分がマチ部１３の横方向、すなわち図中矢印Ｐの方向（面方向）に浸透する現象が効果的に抑えられる構造となっている。
【００１４】
前身頃１１及び後身頃１２は、例えば、綿、ナイロン及びポリエステル等により構成されている。前身頃１１及び後身頃１２は、予め所定寸法に裁断され、縫製処理が施されてマチ部１３と連結されている。かかる縫製処理は、公知の要領で行われる。
【００１５】
図２は、マチ部１３の構造が詳細に示された斜視図である。
同図が示すように、マチ部１３は、ベースシート１４及びサブシート１５とを有している。
【００１６】
ベースシート１４は、高吸収・高吸湿繊維からなる材料シート（例えば、ベルオアシス（登録商標）：カネボウ製）により構成されており、図に示すような形状に予め裁断される。また、サブシート１５もベースシート１４と同様に、高吸収・高吸湿繊維からなる材料シートにより構成されている。サブシート１５は、図が示すように、ベースシート１４の上に（下着１０の内側に）重ねられるように配置されている。
【００１７】
本実施形態では、サブシート１５は、ベースシート１４にぴったりと重ねられる形状に形成されている。ただし、特に本実施形態では、サブシートは、ベースシート１４の前端１４ａからベースシート１４の中央部１４ｂにかけて延びる形状に形成されており、ベースシート１４の中央部１４ｂから後方部１４ｃにおいては、サブシート１５は配置されていない。なお、ベースシート１４とサブシート１５とは、公知の要領によって縫製処理がなされ、互いの周囲同士が縫い合わされている。
また、本実施形態では、サブシート１５の後端縁１８は、ベースシート１４に縫い合わされておらず、ベースシート１４に対して自由となっている。もっとも、この後端縁１８がベースシート１４に縫い合わされている構造であっても良い。
【００１８】
サブシート１５には、その後端中央部１５ａから前方側に向かってスリット１９が形成されている。このスリット１９は、線状の切込により構成されていても良い。ただし、スリット１９が切欠により構成される場合は、スリット１９の幅寸法ｄは、１ｍｍ〜１０ｍｍに設定される。また、スリット１９の長さは、５０ｍｍ〜１００ｍｍに設定される。
本実施形態では、スリット１０の幅寸法ｄは５ｍｍに設定されており、長さは７０ｍｍに設定されている。このスリット１９の機能については、後述される。
【００１９】
このような構造のマチ部１３は、前述した公知の要領によって上記前身頃１１及び後身頃１２に縫いつけられている。これにより、図１が示すような構成の下着１０が縫製されている。
【００２０】
この下着１０をつけた下着使用者は、仮に失禁症状を起こした場合であっても、水分がマチ部１３に吸収される。このマチ部１３は二重構造であり、ベースシート１４及びサブシート１５が吸水性に優れたものであるから、当該水分がマチ部１３の厚み方向に浸透し外部に漏れることはない。
【００２１】
ところで、この水分は、その性質上、サブシート１５の左右方向（上記矢印Ｐの方向）に浸透が進んでいく。しかし、サブシート１５には、スリット１９が設けられている。このスリット１９は、水分を吸い寄せる機能を有する。すなわち、スリット１９は、一種の水路の役割りを果たし、水分はこのスリット１９に沿って移動する傾向にある。したがって、水分は、サブシート１５の左右方向への浸透が規制される。
したがって、この下着１０では、失禁症状が発生した場合であっても、水分は、上記矢印Ｐの方向に移動（浸透）するのを規制されるので、いわゆる横漏れが効果的に抑制される。
【００２２】
特に、本実施形態では、サブシート１５は、ベースシート１４の前端１４ａから後方に向かって当該ベースシート１４の中央部１４ｂまで敷設されているだけである。サブシート１５がこのような形状であっても、失禁時の水分は、上記スリット１９によって、その横漏れが規制される。したがって、サブシート１５は、コンパクトに設計される。
【００２３】
詳述すると、一般に人間が下着を装着した場合は、人間の尿道は、マチ部１３の前半部分に位置することになる。したがって、本実施形態のように、サブシート１５がマチ部１３の前方側のみに配置されていても、失禁時に発生する水分は、サブシート１５に吸収される。そして、当該水分は、前述のように、スリット１９によってその横方向への浸透が規制される。これにより、サブシート１５がコンパクトとなり、その結果、下着１０のつけ心地が良くなると共に下着１０のコストも低減されるという利点がある。
【００２４】
次に、上記実施形態の変形例が説明される。
図３は、上記実施形態の第１の変形例に係るマチ部２１の構造を示す斜視図である。
【００２５】
この変形例が上記実施形態と異なるところは、サブシート１５に複数の小孔２２が設けられている点である。なお、その他の構成については、上記実施形態に係るマチ部１３と同様であるので、詳しい説明は省略される。
【００２６】
この小孔２２は、本変形例では、スリット１９の両側にスリット１９に沿って設けられている。各小孔２２は、サブシート１５を厚み方向に貫通している。各小孔２２の孔径は、適宜設定され得るが、３ｍｍ〜１０ｍｍの範囲で設定される。本実施形態では特に、小孔２２の孔径は、５ｍｍに設定されている。
なお、本変形例では、小孔２２は、スリット１９に沿って規則的に配列されているが、これに限定されるものではなく、不規則にサブシート１５上に配設されていてもよい。
【００２７】
この変形例では、前述のように小孔２２が設けられているので、失禁時に、水分がサブシート１５に沿って浸透することがさらに規制される。
すなわち、水分は、サブシート１５を媒体としてその面方向へ浸透・拡散移動するものであるので、上記小孔２２が設けられることにより、上記媒体が間欠された状態となる。そのため、水分の浸透・拡散の速度は、さらに低下する。その結果、いわゆる横漏れが、一層効果的に抑制される。
【００２８】
次に、上記実施形態の第２の変形例が説明される。
図４は、上記実施形態の第２の変形例に係るマチ部２３の構造を示す斜視図である。
【００２９】
この変形例が上記実施形態と異なるところは、ベースシート１４及びサブシート１５に撥水テープ１７が設けられている点、及びメッシュシート１６が配設されている点である。なお、その他の構成については、上記実施形態に係るマチ部１３と同様であるので、詳しい説明は省略される。
【００３０】
撥水テープ１７は、例えばナイロン等により構成されている。撥水テープ１７は、ベースシート１４及びサブシート１５の側縁部２０に沿って配置されており、当該側縁部２０を包み込んで被覆している。
具体的には、撥水テープ１７は、その長手方向が上記側縁部２０に沿って配置される。そして、撥水テープ１７の幅方向の一端部側が上記側縁部２０の裏側に当てがわれ、当該側縁部２０を包み込むようにして撥水テープ１７の幅方向の他端部側が上記側縁部２０の表側（下着１０の内側）に当てがわれる。そして、この撥水テープ１７の幅方向の両端部が、ベースシート１４及びサブシート１５に対して公知の要領で縫製処理がなされ、縫いつけられる。
【００３１】
メッシュシート１６は、従来から下着用として一般的に使用されている材料シートから構成されている。このメッシュシート１６は、上記ベースシート１４及びサブシート１５と共に、公知の要領で縫製処理がなされている。つまり、メッシュシート１６は、上記ベースシート１４及びサブシート１５の内側全体を覆うように配置されており、公知の要領で縫製処理がなされている。
【００３２】
この変形例では、マチ部２３の側縁部２０は、撥水テープ１７により被覆されているから、失禁症状が起こったときに万一水分がサブシート１５の側縁、すなわち上記側縁部２０に到達したとしても、当該水分は、撥水シート１７によって受け止められる。これにより、水分の横漏れは一層効果的に抑制される。
また、上記メッシュシート１６が設けられているから、マチ部２３の内側は、メッシュシート１６により覆われる。これにより、下着１０がつけられたときに、メッシュシート１６が肌と直接接触することになる。したがって、下着１０の使用者は、さらさらしたきわめて良いつけ心地を得ることができる。
【００３３】
【発明の効果】
以上のように本発明によれば、失禁症状が発生した場合であっても、水分は、下着の横方向へ移動（浸透）するのを規制されるので、いわゆる横漏れを効果的に抑制することができる。
【図面の簡単な説明】
【図１】図１は、本発明の一実施形態に係る下着の斜視図である。
【図２】図２は、本発明の一実施形態に係るマチ部の構造が詳細に示された斜視図である。
【図３】図３は、本発明の実施形態の第１の変形例に係るマチ部の構造を示す斜視図である。
【図４】図４は、本発明の実施形態の第２の変形例に係るマチ部の構造を示す斜視図である。
【符号の説明】
１０・・・下着
１１・・・前身頃
１２・・・後身頃
１３・・・マチ部
１４・・・ベースシート
１５・・・サブシート
１６・・・メッシュシート
１７・・・撥水テープ
１８・・・後端縁
１９・・・スリット
２０・・・側縁部
２１・・・マチ部
２２・・・小孔
２３・・・マチ部
【図１】
2004011073.tif 000003
【図２】
2004011073.tif 000004
【図３】
2004011073.tif 000005
【図４】
2004011073.tif 000006